(57)【要約】【課題】移動端末装置を有するユーザが、必要な情報のみを入手することができる情報伝達システム、およびその情報伝達システムを構成する移動端末装置、さらにその情報伝達システムを構成する情報サーバを提供する。【解決手段】特徴情報をいくつか表示しておいて、その特徴情報を見て詳細情報が欲しいということで詳細情報表示指示操作が行なわれたら詳細情報を表示する。情報サーバ側には特徴情報を有する特徴ＤＢと詳細情報を有する情報ＤＢとを分けて作成しておいて、移動端末側からの送信情報要求に応じて特徴情報と詳細情報とを分けて送信することができるようにする。【選択図】図４
2008193336.tif 000002
【特許請求の範囲】
【請求項１】
無線通信を行なう通信部と、表示画面上に画像を表示する表示部とを備えた移動端末装置、および、情報を記憶しておき前記移動端末装置からの情報の送信要求に応じて該移動端末装置に情報を送信する情報サーバを具備する情報伝達システムであって、
前記情報サーバが、
地理上のエリア別に詳細情報を記憶する詳細情報記憶部と、
前記詳細情報に基づいて地理上の各エリアの特徴を表わす特徴情報を作成する特徴情報作成部と、
前記特徴情報作成部で作成されたエリア別の特徴情報を記憶する特徴情報記憶部と、
前記移動端末装置からのエリアを指定した送信要求を受けて、該移動端末装置に向けて、前記特徴情報記憶部に記憶された該エリアの特徴情報および前記詳細情報記憶部に記憶された該エリアの詳細情報を送信する情報送信部とを備え、
当該移動端末装置が、
当該移動端末装置の現在の位置情報を取得する位置情報取得部と、
前記通信部に、前記情報サーバに向けてエリアを特定して該エリアの情報の送信要求を行なわせて、前記情報サーバから該エリアの特徴情報および詳細情報を受信させる情報受信制御部と、
前記表示部に、前記表示画面上に前記特徴情報を表示させ、ユーザからの詳細情報表示指示操作を待って該表示画面上に詳細情報を表示させる情報表示制御部とを備えたことを特徴とする情報伝達システム。
【請求項２】
前記特徴情報作成部が、前記詳細情報に基づいて、各エリアの、複数種類の特徴情報を作成するものであって、
前記情報表示制御部は、前記表示画面上に複数種類の特徴情報を表示させるものであることを特徴とする請求項１記載の情報伝達システム。
【請求項３】
前記特徴情報作成部が、前記詳細情報から、各エリア別の特徴と該特徴の時間的変化とからなる特徴情報を作成するものであることを特徴とする請求項１記載の情報伝達システム。
【請求項４】
前記特徴情報作成部が、前記詳細情報から、各エリア別の特徴と、各エリア別の特徴と該各エリアに隣接する隣接エリアの特徴との差異とからなる特徴情報を作成するものであることを特徴とする請求項１記載の情報伝達システム。
【請求項５】
前記情報受信制御部は、前記移動端末装置が新たなエリアに進入したときに、前記通信部に、前記情報サーバに向けての、進入したエリアの情報の送信要求を行なわさせるものであることを特徴とする請求項１記載の情報伝達システム。
【請求項６】
無線通信を行なう通信部と、表示画面上に画像を表示する表示部とを備えた移動端末装置であって、
当該移動端末装置の現在の位置情報を取得する位置情報取得部と、
前記通信部に、地理上のエリア別の詳細情報と該詳細情報を基に作成されたエリア別の特徴情報とを記憶した情報サーバに向けてエリアを特定した情報の送信要求を行なわせて、前記情報サーバから該エリアの特徴情報および詳細情報を受信させる情報受信制御部と、
前記表示部に、前記表示画面上に前記特徴情報を表示させ、ユーザからの詳細情報表示指示操作を待って該表示画面上に詳細情報を表示させる情報表示制御とを備えたことを特徴とする移動端末装置。
【請求項７】
情報を記憶しておき、無線通信を行なう通信部と表示画面上に画像を表示する表示部とを備えた移動端末装置からの情報の送信要求に応じて該移動端末装置に情報を送信する情報サーバであって、
地理上のエリア別に詳細情報を記憶する詳細情報記憶部と、
前記詳細情報に基づいて地理上の各エリアの特徴を表わす特徴情報を作成する特徴情報作成部と、
前記特徴情報作成部で作成されたエリア別の特徴情報を記憶する特徴情報記憶部と、
前記移動端末装置からのエリアを指定した送信要求を受けて、該移動端末装置に向けて、前記特徴情報記憶部に記憶された該エリアの特徴情報および前記詳細情報記憶部に記憶された該エリアの詳細情報を送信する情報送信部とを備えたことを特徴とする情報サーバ。
【発明の詳細な説明】
【技術分野】
【０００１】
本発明は、無線通信を行なう通信部と、表示画面上に画像を表示する表示部とを備えた移動端末装置、および、情報を記憶しておき前記移動端末装置からの情報の送信要求に応じて該移動端末装置に情報を送信する情報サーバを具備する情報伝達システム、その情報伝達システムを構成する移動端末装置、およびその情報伝達システムを構成する情報サーバに関する。
【背景技術】
【０００２】
従来より、インターネットなどのネットワークを使って交通渋滞などの情報をリアルタイムに取得することができるようにするシステムが数多く提案されている。このようなシステムには、大抵、無線通信を行なう通信部と表示画面上に画像を表示する表示部とを備えた移動端末装置（例えば携帯電話機）、および情報を記憶しておき移動端末装置からの情報の送信要求に応じて移動端末装置に情報を送信する情報サーバが備えられている。
【０００３】
例えば特許文献１には、ＧＰＳ機能を備えた移動端末装置がこれから移動しようとしているエリアの情報をそのエリアに移動する直前に情報サーバからダウンロードして取得することができるようにする技術が提案されており、例えば特許文献２には、移動端末装置であるナビゲーション装置が交通情報を提供するナビサーバから交通情報を受けてとって表示画面上の地図に重ねて交通情報を表示するシステムが提案されている。
【０００４】
また、ＧＰＳ機能を備えることができないような小型の移動端末装置であっても、情報サーバからの情報を必要時に必要量だけ受け取ることができるようにして移動端末装置の表示画面上に必要情報の表示を行なうことができるようにするシステムも提案されている（例えば特許文献３参照）。
【０００５】
ところで、インターネット上には様々な情報があり、必要に応じていろいろな情報をダウンロードすることができる。特許文献１のようにＧＰＳ機能を備えた移動端末装置にあっては、ＧＰＳ機能を使って取得した緯度・経度情報を検索用のキーワードにすることでその緯度・経度情報に纏わる様々な情報などを得ることができる。
【０００６】
しかし、インタネット上でキーワード検索を行なったときにあまり多くの情報が得られると、さらにキーワードを指定するなどして絞込み検索を行なう必要が出てくる。移動端末装置を携帯しているユーザにあっては、情報をリアルタイムに得たいときにそのような操作を行なって必要な情報を探している暇はない。移動端末装置を利用して情報を得ようとするユーザにおいては、迅速かつ必要な情報の提示のみが求められる。
【特許文献１】特開平９−１３０８６１号公報
【特許文献２】特開２００４−２３４６４９号公報
【特許文献３】特開平９−８９１７号公報
【発明の開示】
【発明が解決しようとする課題】
【０００７】
本発明は、移動端末装置を有するユーザが、移動中に、簡単な操作で必要な情報を入手することができる情報伝達システム、およびその情報伝達システムを構成する移動端末装置、さらにその情報伝達システムを構成する情報サーバにおいて、大量でかつ雑多な情報の中から、簡単な操作で情報を取得できることを目的とする。
【課題を解決するための手段】
【０００８】
上記目的を達成する本発明の情報伝達システムは、無線通信を行なう通信部と、表示画面上に画像を表示する表示部とを備えた移動端末装置、および、情報を記憶しておき上記移動端末装置からの情報の送信要求に応じてその移動端末装置に情報を送信する情報サーバを具備する情報伝達システムであって、上記情報サーバが、地理上のエリア別に詳細情報を記憶する詳細情報記憶部と、上記詳細情報に基づいて地理上の各エリアの特徴を表わす特徴情報を作成する特徴情報作成部と、上記特徴情報作成部で作成されたエリア別の特徴情報を記憶する特徴情報記憶部と、上記移動端末装置からのエリアを指定した送信要求を受けて、その移動端末装置に向けて、上記特徴情報記憶部に記憶されたそのエリアの特徴情報および上記詳細情報記憶部に記憶されたそのエリアの詳細情報を送信する情報送信部とを備え、当該移動端末装置が、当該移動端末装置の現在の位置情報を取得する位置情報取得部と、上記通信部に、上記情報サーバに向けてエリアを特定して該エリアの情報の送信要求を行なわせて、上記情報サーバから該エリアの特徴情報および詳細情報を受信させる情報受信制御部と、上記表示部に、上記表示画面上に上記特徴情報を表示させ、ユーザからの詳細情報表示指示操作を待って該表示画面上に詳細情報を表示させる情報表示制御部とを備えたことを特徴とする。
【０００９】
上記本発明の情報伝達システムによれば、当該移動端末装置が、通信部に、エリアを特定してそのエリアの情報の送信要求を行なわせて、移動端末装置が備える上記情報受信制御部が、通信部に、特定したエリアの特徴情報および詳細情報を受信させる。さらに上記情報表示制御部が表示部に指示して、通信部に受信させた特徴情報および詳細情報のうちの特徴情報を表示画面上に表示させ、詳細情報の表示指示操作を待って表示画面上に詳細情報を表示させる。
【００１０】
そうすると、移動端末側のユーザは、特徴情報を見て必要であった場合に指示操作を行なってその特徴情報の詳細情報を表示画面上に表示させることができる。
【００１１】
つまり、移動端末装置を有するユーザが、移動中に、簡単な操作で必要な情報を入手することができる情報伝達システムが実現する。
【００１２】
ここで、上記特徴情報作成部が、上記詳細情報に基づいて、各エリアの、複数種類の特徴情報を作成するものであって、上記情報表示制御部は、上記表示画面上に複数種類の特徴情報を表示させるものであると良い。
【００１３】
そうすると、ユーザは、複数種類の特徴情報を見て必要な情報であると思ったときにだけ詳細情報を得ることができる。
【００１４】
上記特徴情報作成部が、上記詳細情報からキーワードを抽出して抽出したキーワードからなる特徴情報を作成するものであっても良く、また上記特徴情報作成部が、上記詳細情報から、各エリア別の特徴と該特徴の時間的変化とからなる特徴情報を作成するものであっても良く、さらに上記特徴情報作成部が、上記詳細情報から、各エリア別の特徴と、各エリア別の特徴と該各エリアに隣接する隣接エリアの特徴との差異とからなる特徴情報を作成するものであっても良い。
【００１５】
ここで、上記情報受信制御部は、上記移動端末装置が新たなエリアに進入したときに、上記通信部に、上記情報サーバに向けての、進入したエリアの情報の送信要求を行なわさせるものであることが好ましい。
【００１６】
そうすると、エリアに進入したときに情報サーバに向けての、進入したエリアの情報を送信要求が行なわれるので、エリアごとにエリア別の特徴情報を見て必要だと思ったときに操作を行なってそれらの特徴の詳細情報を入手することができる。
【００１７】
さらに上記情報受信制御部は、上記通信部に、当該移動端末装置の進路前方の次のエリアの情報の送信要求を行なわさせるものであると尚良い。
【００１８】
そうすると、進行方向前方の特徴情報をエリアごとに次々と得て、必要な場合には操作を行なってその都度、簡単な操作で詳細情報を入手することができる。
【００１９】
ここで、当該移動端末装置が、電話機能を有する携帯電話機であっても良く、また当該移動端末装置が、電話機能を有する携帯電話機と、車に搭載され、現在の位置情報を取得するＧＰＳ機能を有するカーナビゲーションシステムとの複合からなるものであっても良い。
【００２０】
また、上記目的を達成する本発明の移動端末装置は、無線通信を行なう通信部と、表示画面上に画像を表示する表示部とを備えた移動端末装置であって、当該移動端末装置の現在の位置情報を取得する位置情報取得部と、上記通信部に、地理上のエリア別の詳細情報とその詳細情報を基に作成されたエリア別の特徴情報とを記憶した情報サーバに向けてエリアを特定した情報の送信要求を行なわせて、上記情報サーバから該エリアの特徴情報および詳細情報を受信させる情報受信制御部と、上記表示部に、上記表示画面上に上記特徴情報を表示させ、ユーザからの詳細情報表示指示操作を待って該表示画面上に詳細情報を表示させる情報表示制御とを備えたことを特徴とする。
【００２１】
上記目的を達成する本発明の情報サーバは、情報を記憶しておき、無線通信を行なう通信部と表示画面上に画像を表示する表示部とを備えた移動端末装置からの情報の送信要求に応じて該移動端末装置に情報を送信する情報サーバであって、地理上のエリア別に詳細情報を記憶する詳細情報記憶部と、上記詳細情報に基づいて地理上の各エリアの特徴を表わす特徴情報を作成する特徴情報作成部と、上記特徴情報作成部で作成されたエリア別の特徴情報を記憶する特徴情報記憶部と、上記移動端末装置からのエリアを指定した送信要求を受けて、該移動端末装置に向けて、上記特徴情報記憶部に記憶された該エリアの特徴情報および上記詳細情報記憶部に記憶された該エリアの詳細情報を送信する情報送信部とを備えたことを特徴とする。
【００２２】
ここで、上記情報サーバが、地理上の位置情報が付された詳細情報を受信する詳細情報受信部と、上記詳細情報受信部で受信した詳細情報をエリア別に分類する詳細情報分類部とをさらに備え、上記詳細情報記憶部が、上記詳細情報分類部で分類された詳細情報を記憶するものであることが好ましい。
【００２３】
上記情報サーバが、上記詳細情報受信部で携帯電話機やパーソナルコンピュータを持つ多くのユーザから投稿された、地理上の位置情報が付された詳細情報を受信して上記詳細情報分類部を使って地理上の位置情報に応じて多くのユーザから投稿された詳細情報をエリア別に分類し分類した詳細情報を上記詳細情報記憶部が記憶領域に記憶する構成を有するものであると、上記移動端末装置からのエリアを指定した詳細情報の送信要求を受けたときに直ぐに移動端末装置へ指定されたエリアの詳細情報を送信することが可能となる。
【発明の効果】
【００２４】
本発明によれば、移動端末装置を有するユーザが、移動中に、簡単な操作で、大量で雑タな情報の中から必要な情報を入手することができる情報伝達システム、およびその情報伝達システムを構成する移動端末装置、さらにその情報伝達システムを構成する情報サーバが実現する。
【発明を実施するための最良の形態】
【００２５】
以下、本発明の実施の形態について説明する。
【００２６】
図１は、本発明の一実施形態である情報伝達システム１の概念を示す概念図である。
【００２７】
図１に示す移動端末装置１００は、電話機能を有する携帯電話機１０２と、車に搭載され、現在の位置情報を取得するＧＰＳ機能を有するカーナビゲーションシステム１０１との複合からなるものである。つまり自動車が備えるカーナビゲーションシステム１０１に携帯電話機１０２がアダプタを介して接続されると携帯電話機１０２を介してインターネットに接続されセンタ側の情報サーバ１１０から情報をダウンロードしてカーナビゲーションが備える表示画面上に情報を表示することが可能となる。
【００２８】
なお、その情報サーバ１１０の内部には、ＧＰＳ機能を備えた携帯電話機１２０やその携帯電話機１２０で撮影された画像情報が多数記録されたハードディスクを備えたパーソナルコンピュータ（以降ＰＣという）１３０などから地理上の位置情報が付された画像情報が投稿され、投稿された情報が多数蓄積されているとして以降説明する。
【００２９】
図２は、図１の概念図中の移動端末装置１００とセンタ側の情報サーバ１１０とで構成される情報伝達システム１の構成を示す図である。
【００３０】
図２に示す情報伝達システム１には、ナビゲーションシステム１０１と携帯電話機１０２との複合からなる移動端末装置１００と、情報を記憶しておき移動端末装置１００側からの情報の送信要求に応じてその移動端末装置１００に情報を送信する情報サーバ１１０とが備えられている。
【００３１】
情報サーバ１１０には、地理上のエリア別に詳細情報を記憶する詳細情報記憶部１１０１と、詳細情報に基づいて地理上の各エリアの特徴を表わす特徴情報を作成する特徴情報作成部１１０２と、特徴情報作成部１１０２で作成されたエリア別の特徴情報を記憶する特徴情報記憶部１１０３と、移動端末装置１００側からのエリアを指定した送信要求を受けて、その移動端末装置１００に向けて、特徴情報記憶部１１０３に記憶されたエリアの特徴情報および詳細情報記憶部１１０１に記憶されたエリアの詳細情報を送信する情報送信部とが備えられている。
【００３２】
詳細は後述するが、本実施形態においては、特徴情報記憶部１１０３と詳細情報記憶部１１０１とを２つ設けて各記憶部の中に特徴情報に関するデータベース（以降特徴ＤＢ）と詳細情報に関するデータベース（以降情報ＤＢという）とを別々に作成する構成にしているので、以降の説明においては、詳細ＤＢが作成される詳細情報記憶部１１０１のことを情報ＤＢと記載したり、特徴情報のデータベースが作成される特徴情報記憶部１１０のことを特徴ＤＢと記載したりすることがある。
【００３３】
またこの例では、通信部１１０４が上記情報送信部に相当し、その通信部１１０４には受信機能も配備されている。その通信部１１０４の受信機能を使って受信する受信情報の中には、携帯電話機１２０等から投稿された詳細情報や移動端末装置１００側からの情報の送信要求などの種類があるので、本実施形態においては、コマンド判別部１１０５を設けて通信部１１０４で情報を受信したときには受信したコマンドの内容をそのコマンド判別部１１０５で判別して適宜処理を実行することができるようにしている。
【００３４】
また、情報サーバ１１０には、移動端末装置１００側からのエリアを指定した送信要求を受けてエリアを判別するために予め作成された地図ＤＢ１１０６が備えられており、さらに走行予定エリア取得を示す情報が移動端末装置１００側から送信されてきたときにその地図ＤＢ１１０６内の地図データに基づいて経路検索部１１０７で経路を検索して走行予定エリアを取得する走行予定エリア取得部１１０８も備えられている。さらに、詳細は後述するが、投稿された詳細情報を位置情報ごとに分類する情報分類部１１０９も備えられている。この情報分類部１１０９には、位置情報ごとに分類した詳細情報の投稿数のカウントを行なうための追加投稿数保持部１１０Ａが備えられており、その追加投稿数保持部１１０Ａ内には、位置情報（後述するメッシュコード）ごとに投稿数が書き込まれるテーブルが備えられている。
【００３５】
一方、移動端末装置１００には、ナビゲーションシステム１０１とそのナビゲーションシステム１０１に接続される携帯電話機機１０２（通信部）が備えられており、ナビゲーションシステム１０１内には、当該移動端末装置の現在の位置情報を所定時間毎に取得する位置情報取得部１０１Ａと、携帯電話機で構成される通信部１０２に、情報サーバ１１０に向けてエリアを特定してそのエリアの情報の送信要求を行なわせて情報サーバ１１０からそのエリアの特徴情報および詳細情報を受信させる情報受信制御部１０１Ｂと、表示部の表示画面ＤＩＳＰ（図１参照）上に特徴情報を表示させ、ユーザからの詳細情報表示指示操作を待ってその表示画面ＤＩＳＰ上に詳細情報を表示させる情報表示制御部１０１Ｃとが備えられている。なお本実施形態においては、表示部の他に音声出力用のスピーカと音声合成部とからなる音声出力部も備えられている。また、位置情報取得部１０１Ａには、連続する２点の位置情報から車の進行方向を取得する進行方向取得部１０１１Ａが備えられている。また端末側エリア別情報記憶部１０１１Ｃが移動端末装置側の情報ＤＢとして備えられている。この端末側エリア別情報記憶部は小容量のものであって、必要情報のみが記憶される。
【００３６】
図３、図４を参照して動作を簡単に説明する。
【００３７】
図３、図４は、この情報伝達システム１の動作の一例を説明する図である。
【００３８】
本実施形態では、まず、自動車のエンジンがかけられナビゲーションシステム１０１から目的地が入力されると、その目的地周辺の混雑具合などが音声で通知されるようになっている。
【００３９】
この例では自動車が備えるナビゲーションシステム１０１内の車両状態検出部によってエンジンの始動が検出されナビゲーションシステム１０１の入力部から目的地が入力されたときにその目的地の位置情報が送信要求として情報サーバ１１０に送信され送信されたときの日時の目的地周辺の混雑情報が情報サーバから送信されてきて、その混雑情報が音声出力部から音声でユーザに通知される構成になっている。
【００４０】
その後、自動車が目的地に向かって進行を始めると、図４の右斜め上方に示すようにエリアごとの特徴情報が表示画面上に表示されたり、音声情報で通知されたりする。表示画面上の特徴情報にはそれぞれ矢印が示されており、この矢印の向きによって混雑状況や関心度などが示されるようになっている。この表示画面ＤＩＳＰ上に特徴情報が表示されているときに図３、図４中の「詳細」が指示操作されると情報サーバ１１０から詳細情報が送信され端末側エリア別情報記憶部１０１１Ｃ内に一旦記憶されて、詳細情報の一部である写真情報が表示画面ＤＩＳＰ上に表示されるようになっている。
【００４１】
ところで、図１の情報伝達システム１が備える情報サーバ１１０には、図１で説明したように携帯移動端末装置、例えば携帯電話機１２０、やＰＣ１３０からのアクセスが可能であり、携帯移動端末装置からどのような情報が送信されてくるか分からないので、上記コマンド判別部１１０５によってどのような情報が送信されてきたかが判別される構成になっている。このコマンド判別部１１０５により判別されたコマンドの内容に応じてどのように処理が実行されるかを先ず説明する。
【００４２】
図５は、情報サーバ１１０の処理を説明する図である。
【００４３】
情報サーバ１１０に配備されている通信部１１０４がスタンバイ状態にあるときに外部の携帯移動端末から何らかの情報が送信されてきて通信部１１０４で受信された場合には、その情報の先頭部にある情報種を示すコマンド等がステップＳ５０１でコマンド判別部１１０５によって判別されて、判別されたコマンドに応じた処理が開始される。
【００４４】
ここでは、そのコマンドの種類として図５の５通りが掲げられている。例えば、情報の先頭にデータ登録コマンドがあった場合には、そのコマンド以降の情報がデータ登録を行なう詳細情報であると判別されてステップＳ５０２へ進んでデータ登録処理が開始される。
【００４５】
以降、ステップＳ５０１で特徴情報一覧取得コマンドが移動端末装置側から送信されてきたと判定された場合には、ステップＳ５０３へ進んで特徴情報一覧取得処理が開始され、特徴情報取得コマンドが移動端末装置側から送信されてきたと判定された場合には、ステップＳ５０４へ進んで特徴情報取得処理が開始され、詳細情報取得コマンドが移動端末装置側から送信されてきたと判定された場合にはステップＳ５０５へ進んで詳細情報取得処理が開始され、走行予定エリア取得コマンドが送信されてきた場合にはステップＳ５０６へ進んで走行エリア取得処理が開始される。
【００４６】
図６は、図５のステップＳ５０２のデータ登録処理の詳細を説明するフローチャートである。
【００４７】
まず図６のフローチャートを説明して、その後メッシュコードの内容を説明する。
【００４８】
図６を参照して情報サーバ１１０によって実行される処理を説明する。
【００４９】
図５のフロー中のステップＳ５０２の処理が開始されると、図６のフローの処理が開始される。まずステップＳ５０２１で登録コマンドの後に続く詳細情報の中から情報分類部によって位置情報が取り出される。そして次のステップＳ５０２２で地図ＤＢ１１０６に保持されているメッシュコードと緯度・経度との対応表に基づいて受信した詳細情報の中の位置情報（緯度・経度）に対応するメッシュコードが決定される。情報ＤＢは、メッシュコードごとに詳細情報を保持し、Ｓ５０２２で決定されたメッシュコードに一致するメッシュコードに詳細情報を追加する。ステップＳ５０２４以降では、詳細情報がある程度の数（Ｎ個）溜まってから、特徴情報抽出処理を開始するようになっている。ステップＳ５０２４では、メッシュコードごとの投稿数がどの位であるかが分かる様にするために追加投稿数保持部１１０Ａ内のカウント数がインクリメントされてメッシュコードごとの投稿数がカウントされる。次のステップＳ５０２５でメッシュコードごとの投稿数がＮ個以上であるかどうかが判定され、Ｎ個より少ないと判定されたら‘いいえ’側へ進んでこのフローの処理が終了する。
【００５０】
またステップＳ５０２５でＮ個以上であると判定されたら、‘はい’側へ進み、ステップＳ５０２６で追加投稿数保持部１１０Ａ内のテーブルに書き込まれていた追加個数がリセットされ０にされる。さらにステップＳ５０２７で特徴作成部１１０２によって追加投稿数がＮ個を超えたメッシュコードの詳細情報が読み出されて、メッシュコードに一致するエリアの特徴の抽出処理が開始される。
【００５１】
ここで特徴作成部１１０２の処理を説明する前に、図７を参照して図６の処理中に記載されているメッシュコードと緯度・経度情報との対応を説明する。
【００５２】
図７は、メッシュコードと緯度経度の対応を説明する図である。  
【００５３】
図７（ａ）には日本列島を示す図が示されており、図７（ｂ）には、メッシュコードと緯度・経度情報の対応表が示されている。これらが地図ＤＢの中にある。
【００５４】
まず図７（ａ）を参照してメッシュコードと緯度・経度の対応を説明する。
【００５５】
図７に示す様に、日本列島が緯度・経度の縦横のメッシュで分割されている。地図ＤＢ１１０６内には地図データとしてそのメッシュにより仕切られた所定の緯度・経度の位置にあるエリアごとにメッシュコード（例えば、５４３９−４３−２４）が割り振られている。なお、このメッシュコードの割り振りは、国土数値情報のフォーマットに従って行なわれていても良いし、独自フォーマットを作成し、作成したフォーマットに従って行われていても良い。
【００５６】
したがってステップＳ５０２１の処理では情報分類部１１０９によって、詳細情報の中の位置情報（緯度・経度）が取り出されその位置情報に対応するメッシュコードが地図ＤＢ１１０６内の地図データに基づいて決定され、ステップＳ５０２３の処理で情報分類部によってメッシュコードごとに詳細情報が分類されて、詳細情報記憶部１１０１の情報ＤＢ内のメッシュコードごとに分けて保持される詳細情報に追加される。このときにはステップＳ５０２４の処理で情報分類部１１０９によって追加投稿数保持部１１０Ａ内にある投稿数のカウント数がインクリメントされる。
【００５７】
つまり、情報サーバ１１０は、地理上の位置情報が付された詳細情報を受信する詳細情報受信部である通信部１１０４と、その通信部１１０４で受信した詳細情報をエリア別に分類する詳細情報分類部１１０９とを備え、上記詳細情報記憶部１１０１が、上記詳細情報分類部１１０９で分類された詳細情報を記憶するものであるということになる。
【００５８】
次に、図８を参照して詳細詳細記憶部１１０１内に作成される情報ＤＢの内容と追加投稿数保持部１１０Ａ内のテーブルの内容を説明する。
【００５９】
図８は、詳細情報記憶部１１０１に記憶される情報ＤＢの内容および追加投稿数保持部１１０Ａ内のテーブルの内容を説明する図である。
【００６０】
図８（ａ）に示す様に、詳細情報記憶部１１０１に作成される情報ＤＢには、緯度・経度、ユーザ識別子、投稿日、投稿時刻、ユーザ評価、コメント、画像枚数、画像データが書き込まれる。なお、この図８（ａ）に示すデータベースの項目は、これに従ってフォーマットで、携帯電話１２０、パソコン１３０からインターネットを経由して入力してもよいし、あるいは、インターネット上に既にあるブログなどから、ブログの日記内に記載されている住所から緯度・経度情報を取得、ユーザ識別子はブログのＵＲＬ、投稿日時はブログの日記の登録日時、ユーザ評価は、小市の評判抽出技術を用いて得点化、コメントはブログの日記のテキスト情報、画像はブログの日記の画像情報、というようフォーマットに合うように変換して、入力しても良い。
【００６１】
また、追加投稿数保持部１１０Ａには、図８（ｂ）に示すテーブルが備えられており、ステップＳ５０２２の処理でメッシュコードが決定された後、ステップＳ５０２４の処理でメッシュコードごとの投稿数がインクリメントされたときにインクリメントされた後のカウント数が追加投稿数の欄に書き込まれるようになっている。なお、このテーブルには特徴抽出を開始するにあたっての情報数の上限を示す最大数Ｎ（例えば、１０）も書き込まれている。
【００６２】
次に情報ＤＢの内容を説明する。
【００６３】
図９は、情報ＤＢの内容を説明する図である。
【００６４】
特徴作成部１１０２では詳細情報記憶部１１０１内の情報ＤＢに基づいて特徴が抽出されるので、詳細情報記憶部１１０１内の情報ＤＢ内には図９に示す様にメッシュコードと特徴情報とを結びつける第１の対応テーブルと、特徴情報が主に抽出される投稿情報が書き込まれている第２のテーブルと、投稿情報と投稿情報の一部である画像情報がある画像ファイル名とを結びつける第３の対応テーブルとが記憶されている。
【００６５】
このため、特徴作成部１１０２によって詳細情報記憶部１１０１から情報ＤＢ内のデータが読み出されるときには、まず第１の対応テーブルが参照され、メッシュコードに対応する特徴情報であるテーブル、例えばＤＡＴＡ―５４３８−２３−２３が読みされた後、必要に応じて第３のテーブルが参照されて画像情報が読み出される構成になっている。テーブル３内にはテーブル２で付されたＩＤが付加された識別子が画像テーブル内の画像情報の読出用のインデックスとして付加されている。
【００６６】
図１０は、特徴ＤＢの構成を示す図である。
【００６７】
特徴作成部によって特徴が抽出され図に示す特徴ＤＢが作成される。
【００６８】
項目それぞれの特徴の作成方法については後述するが、簡単に項目の内容を説明しておく。
【００６９】
最上位の項目としてメッシュコードがあり、そのメッシュコードごとに詳細ＤＢ内の投稿データに基づいて投稿数については、いつもの投稿数、時間投稿数変化、場所投稿数変化が特徴として抽出され登録されている。
【００７０】
またユーザ数についても、投稿データに基づいて投稿数と同様に通常ユーザ数、時間ユーザ数変化、場所ユーザ数変化が特徴として抽出され登録されている。
【００７１】
さらに、投稿データ中のユーザ評価に基づいてユーザの評判が特徴として抽出され登録されている。
【００７２】
このような特徴ＤＢを作成するにあたって、情報ＤＢ内に特徴情報と詳細情報とが区別され記憶されていると、特徴作成部１００２による特徴作成が行い易い。
【００７３】
このように詳細情報記憶部１１０１内の情報ＤＢが構成されていると、特徴作成部１００２が詳細情報記憶部１００１内の情報ＤＢからメッシュコードに応じて特徴情報と詳細情報とを別々に読み出すことができる。
【００７４】
ここで、図６のステップＳ５０２７の処理に戻ってステップＳ５０２７で実行される特徴作成処理の詳細を図１１を参照して説明する。この図１１に示す特徴作成処理は、図２に示す特徴作成部１００２で行われる。図２には、特徴作成部１００２内に４つの検出部（投稿数、ユーザ数、評判、キーワード）が設けられていて４通りの特徴抽出が行なわれることが示されている。
【００７５】
図１１は、図６のステップＳ５０２７の特徴作成処理の詳細を示すフローチャートである。
【００７６】
まず、ステップＳ５０２７１の処理で詳細情報記憶部１１０１内の情報ＤＢからメッシュコードに一致する投稿情報（図９参照）が読み出される。次のステップＳ５０２７２の処理で、投稿情報の中のコメント（図９参照）の中から頻出キーワードが抽出され、抽出されたキーワードからなる特徴情報がキーワードの頻出順にＭ個まで抽出され特徴情報記憶部内に特徴ＤＢが作成される。
【００７７】
次のステップＳ５０２７３の処理で投稿数に関する特徴が作成され、続いてステップＳ５０２７４の処理では、ユーザ数に関する特徴が作成され、ステップＳ５０２７５では、ユーザ評価に関する特徴が抽出され特徴情報記憶部内に特徴ＤＢが作成される。
【００７８】
ここで、キーワード検索については容易であるとして省略し、ステップＳ５０２７３の処理によって投稿数からどのような特徴が作成されるかを説明する。
【００７９】
本実施形態では、まず時間の経過に伴って詳細情報が増えたか減ったかを特徴として抽出する処理を行なってその後隣接エリアとの間の差異を特徴情報として抽出する処理を行なって特徴ＤＢを作成しているのでその処理内容を説明する。
【００８０】
図１２は、特徴作成部１１０２によって実行されるステップＳ５０２７３の詳細を説明するフローチャートである。
【００８１】
ステップＳ５０２７３１で投稿数について過去例えば数ヶ月に亘っての時間間隔ΔＴあたりの平均投稿数Ａが求められる。次のステップＳ５０２７３２では過去７日間の時間間隔ΔＴあたりの平均投稿数Ｂが求められる。次のステップＳ５０２７３３で、ＢとＡが比較される。
【００８２】
このステップＳ５０２７３３では、ＢがＡ×０．９よりも小さいと判定されたときには、ステップＳ５０２７３４で最近投稿数が少ないと判定され、ＢがＡ×０．９〜Ａ×１．１までの間であると判定されたときにはステップＳ５０２７３５で投稿数が変わらないと判定され、ＢがＡ×１．１よりも多いと判定されたらステップＳ５０２７３６で最近投稿数が多いと判定される。ここで例えばステップＳ５０２７３６の判定に基づいて最近投稿数が多いであるとか、少ないであるとかという情報が特徴情報として特徴ＤＢに登録される。
【００８３】
次にステップＳ５０２７３７へ進んでステップＳ５０２７３７で周囲の８つのエリアのメッシュコードが取得される。そしてメッシュコードから周囲の８つのエリアの詳細情報が読み出され、各エリアの平均投稿数が求められ、さらに８つのエリアの平均投稿数の平均値Ｃが求められる。
【００８４】
次のステップＳ５０２７４０で、その平均値Ｃが、Ａ×０．９よりも小さいか、０．９×Ａ〜１．１×Ａの間にあるか、それとも１．１×Ａよりも大きいかが判定される。ステップＳ５０２７４０で平均値ＣがＡ×０．９よりも小さい判定されたらステップＳ５０２７４１へ進んでステップＳ５０２７４１で周囲より投稿数が少ないと判定され、ステップＳ５０２７４０で０．９×Ａ〜１．１×Ａの間であると判定されたらステップＳ５０２６４２へ進んでステップＳ５０２７４２で周囲と投稿数が変わらないと判定され、ステップＳ５０２７４０で１．１×Ａよりも多いと判定されたらステップＳ５０２７４３へ進んでステップＳ５０２７４３で周囲より投稿数が多いと判定される。ステップＳ５０２７３７とステップＳ５０２７４４の判定結果が特徴記憶部１１０３内の特徴ＤＢに登録されたらこのフローの処理が終了する。
【００８５】
このフローの処理が実行されると、エリアごとの投稿数の多さや少なさによってそのエリアがユーザにとって興味のある場所であるか否かを判定することができるので、例えばステップＳ５０２７４３で周囲より多いと判定されたり、ステップＳ５０２７３６で最近多いと判定された場合には、話題が多かったり、ユーザの関心の高い場所であると考えられるので、特徴情報としてこれらの情報がユーザに通知される。図３、図４では、矢印でその情報が示されている。
【００８６】
また、図１１のフロー中のステップＳ５０２７４の処理では、図１２の処理と同様の処理がユーザ数に関して実行され、図１１のステップＳ５０２７５の処理では、図１１の処理と同様の処理がユーザ評価に関して実行される。
【００８７】
すなわち、本実施形態の特徴情報作成部は、本発明にいう、詳細情報から、各エリア別の特徴と該特徴の時間的変化とからなる特徴情報を作成するものであり、また詳細情報から、各エリア別の特徴と、各エリア別の特徴とその各エリアに隣接する隣接エリアの特徴との差異とからなる特徴情報を作成するものであるということになる。
【００８８】
ここで、本実施形態では移動端末装置側にも情報ＤＢを端末エリア別情報記憶部内に作成することができるようにしているので、その端末エリア別情報記憶部内に作成されるＤＢの構成を説明する。
【００８９】
図１３は、その情報ＤＢを説明する図である。
【００９０】
センタ側では、特徴ＤＢと情報ＤＢとが別々なので図９に示すデータベースにしたが、端末装置側には一つしか記憶部がないので、図１３に示すようにしておくと良い。
【００９１】
情報サーバ１１０で特徴情報が作成されその特徴情報が受信制御部１０１Ｂで取得されているので、図１３に示す様にメッシュコードと詳細データテーブル名との対応テーブルを作成するにあたって特徴情報の追加が行われている。この構成にすると、移動しているときにそのデータベースを構成する、移動端末側の情報ＤＢとなるテーブルから特徴情報のみを読み出すことも、さらに特徴情報に係る詳細情報である投稿情報を表わすデータテーブルを読み出すことも、さらにそのデータテーブル内のファイル名を参照して画像テーブルから画像情報を読み出すこともできる。
【００９２】
最後に、移動体端末装置が移動時に、図５のフローで説明したコマンドの送信が移動端末装置から情報サーバに向けてどのように行なわれるかを説明する。
【００９３】
図１４は、図５の走行予定エリア取得コマンドと特徴情報取得コマンドと詳細情報取得コマンドとを情報サーバ１１０に向けて送信するときの移動端末装置１００側の情報受信制御部１０１Ｂによって実行される処理の手順を示すフローチャートである。
【００９４】
まず、ステップＳ１４０１で、次のエリアに入ったかどうかを判定する。この処理は、後述する走行予定エリア取得部によって取得されたメッシュコードの範囲を示す緯度経度情報と、現在位置取得部１０１Ａによって取得された緯度経度を比較することで行われる。現在位置取得部１０１Ａによって取得された緯度経度が、走行予定エリア取得部によって取得されたメッシュコードの範囲を示す緯度経度内であれば、次のエリアに入ったと判定し、‘はい’側へ処理が進められてステップＳ１４０２で進入したエリアが進入前のエリアから現エリアに変更される。次のステップＳ１４０３で前エリアの情報取得中であるかどうかが判定され、取得中でないと判定されたら‘いいえ’側へ進められ、取得中であると判定されたらステップＳ１４０４へ進められて取得が中止された後、ステップＳ１４０５へ進められる。
【００９５】
ステップＳ１４０５では、現エリアの特徴情報が情報サーバ１１０から取得されて表示画面ＤＩＳＰ上に図４の右上に示す表示が行なわれる。また次のステップＳ１４０６では現エリアの次の走行予定エリアがいずれであるかが情報サーバー１１０から取得される。
【００９６】
次のステップＳ１４０７では、ユーザからの詳細情報取得操作指示があったかどうかが判定され操作されたと判定されたら、‘はい’側へ進められてステップＳ１４０８で詳細情報の取得が行なわれて図４の右上の画面が右下の画面に切り替えられる。ステップＳ１４０７でユーザからの詳細情報取得要求がないと判定されたらこのフロー処理が終えられる。
【００９７】
つまり、この例では、移動端末装置が新たなエリアに進入したときに、情報受信制御部１０１Ｂが通信部１０２に、情報サーバ１１０に向けての、進入したエリアの特徴情報の送信要求を行なわせて、進入エリアごとに特徴情報を受信する処理を行なわせるとともに移動端末装置の進路前方の次のエリアに相当する情報（メッシュコードと、メッシュコードの範囲を示す緯度経度情報）の送信要求も行なわせている。
【００９８】
こうしておいて、図４の右上の表示を表示画面ＤＩＳＰ上に行なってユーザからの詳細情報表示指示操作を受けたらステップＳ１４０８の処理で取得した詳細情報を表示画面上に表示させている。つまり、このフローの処理が行なわれると、図４に示す様に表示が行なわれ、指示操作に応じて表示画面が切り替えられることになる。
【００９９】
ここで、図１４のステップＳ１４０６の次の走行エリア取得処理の詳細を説明する。
【０１００】
この走行エリア取得処理は、情報受信制御部１０１Ｂによって現在位置と進行方向とが検出された後、情報サーバ１１０に向けて走行予定エリア取得コマンドおよび現在位置と進行方向とを示す情報が送信されることによって開始される。
【０１０１】
ここでは、情報サーバとの対応が分かるように後で情報サーバ１１０の処理も合わせて説明する。
【０１０２】
図１５は、走行エリア取得に関する移動端末側と情報サーバ側の処理を示すフローチャートである。端末側のフローの処理は、情報受信制御部１０１Ｂによって実行される。
【０１０３】
ステップＳ１４０６１で、現在位置が現在位置情報取得部１０１Ａから取得される。情報受信制御部１０１Ｂ内のタイマー値により所定の処理間隔で現在位置の情報が２箇所取得されたら、次のステップＳ１４０６２で進行方向が取得される。尚、進行方向取得処理は、端末がジャイロセンサーを持つならば、ジャイロセンサーを使って行っても良い。次のステップＳ１４０６３で情報サーバ１１０と接続されているかどうかが判定され、このステップＳ１４０６３で接続されていると判定されたら‘はい’側へ進められてステップＳ１４０６４で走行予定エリア取得コマンドと現在位置と進行方向とが情報サーバ１１０に送信される。
【０１０４】
情報サーバ１１０から次の走行エリアを表わすメッシュコードと、メッシュコードが示す範囲の緯度経度情報が送信され、受信制御部１０１Ｂによって受信され、これを次の走行エリア情報として、走行予定エリア保持部に保持される。
【０１０５】
またステップＳ１４０６３で情報サーバ１１０が接続されていないと判定されたら、ステップＳ１４０６７で接続が試みられて成功したらステップＳ１４０６４からステップＳ１４０６６の処理が実行され、失敗したらステップＳ１４０６８でエラーメッセージが表示画面ＤＩＳＰ上に表示されるとともに音声出力部から音声で出力される。
【０１０６】
情報サーバ１１０では、ステップＳ１４０６５の処理を受けて、図５中の走行予定エリア取得処理Ｓ５０６が実行される。ステップＳ５０６１で移動端末装置１００から送信されてきた現在位置と進行方向とから自動車が進入すると思われる１つ以上のエリアのメッシュコードとメッシュコードが示す範囲の緯度経度情報が地図ＤＢ内の地図データに基づいて検出される。そうしたらステップＳ５０６２で情報サーバ１１０から移動端末装置１００にこれらの情報が送信される。
【０１０７】
こうして走行予定エリアの情報の取得が行なわれる。
【０１０８】
最後に、図１４のステップＳ１４０５で行なわれる特徴情報取得処理とステップＳ１４０８の詳細情報取得処理を図１６、図１７を参照して説明する。図１６、図１７の処理が図５のステップＳ５０４の特徴情報取得処理とステップＳ５０５の詳細情報取得処理に対応する移動端末装置側の処理になる。つまり移動端末装置側から情報サーバに向けて特徴情報取得コマンド、又は詳細情報取得コマンドが送信される。
【０１０９】
図１６は、情報受信制御部１０１Ｂによって実行される特徴情報の取得処理の手順を示すフローチャートであり、図１７は、情報受信制御部１０１Ｂによって実行される詳細情報の取得処理の手順を示すフローチャートである。
【０１１０】
まずステップで１４０５１で、情報サーバ１１０に接続されているかどうかが判定される。このステップＳ１４０５１で接続されていると判定されたら‘はい’側へ進められてステップＳ１４０５２でメッシュコードと特徴取得コマンドが情報サーバに送信される。ステップＳ１４０５３で情報サーバ１１０から特徴情報が送信されてきたらその特徴情報が受信され、次のステップＳ１４０５４で特徴情報があるかないかが判定される。特徴情報がないと判定されたらこのフローの処理を終える。このステップＳ１４０５４で特徴情報が在ると判定されたら、情報サーバ側から特徴情報がダウンロードされ端末側の情報ＤＢに記憶される。次のステップＳ１４０５５で端末側エリア別情報記憶部の記憶内容が更新されたらステップＳ１４０５６で特徴情報が表示画面ＤＩＳＰ上に表示されるか、あるいは音声情報が出力される。
【０１１１】
ステップＳ１４０５１で情報サーバ１１０に接続されていないと判定されたら、‘いいえ’側へ進められてステップＳ１４０５７で接続が試みられる。ステップＳ１４０５７で接続に成功したらステップＳ１４０５２からステップＳ１４０５６の処理が実行される。ステップＳ１４０５７で接続に失敗したら、エラーメッセージが表示画面ＤＩＳＰ上に表示され、次のステップＳ１４０６９で端末側エリア情報保持部にメッシュコードに一致する特徴情報があるかどうかが判定される。あると判定されたらステップＳ１４０５６で特徴情報が表示画面上に表示され、ないと判定されたらこのフローの処理が終えられる。
【０１１２】
また、ステップＳ１４０８の詳細情報取得処理が開始されると、まずステップＳ１４０８１で情報サーバ１１０が接続済みであるかどうかが判定される。ステップＳ１４０８１で接続されていると判定されたら‘はい’側へ進められてステップＳ１４０８２でメッシュコードと詳細情報一覧取得コマンドが情報サーバ１１０に送信される。ステップＳ１４０８３で情報サーバから詳細情報一覧を受信する。尚、ここで言う詳細情報一覧とは、図９（ｂ）のＩＤのことである。次にステップＳ１４０８４以降で、ＩＤに一致する詳細情報（図９（ｂ）と（ｃ）の情報）が端末側エリア別情報記憶部１０１１Ｃにあるかをチェックし、なければ、情報サーバ１１０からとってくる。ステップＳ１４０８４で、チェックすべきＩＤがまだ残っているかどうかを判別する。チェックすべきＩＤがあれば（一覧が終了でない）、“いいえ”側からステップＳ１４０８５へ進められて受信されたＩＤ一覧から一つのＩＤが取り出されて、ステップＳ１４０８６で端末側エリア別情報記憶部１０１１Ｃ内の情報ＤＢに同じＩＤを持つ詳細情報があるかどうかが判定され、あると判定されたら、ステップＳ１４０９０で表示画面上に詳細情報を表示し、ステップＳ１４０８４に戻る。
【０１１３】
ステップＳ１４０８６で‘なし’と判定されたら、ステップＳ１４０８７で情報サーバ１１０にＩＤと詳細情報取得コマンドが送信され、ＩＤに一致する詳細情報が送信されてきてステップＳ１４０８８で受信し、ステップＳ１４０８９で端末側エリア別情報ＤＢに詳細情報が保存される。そして、ステップＳ１４０９０で詳細情報を表示画面上に表示し、ステップＳ１４０８４に戻る。ステップＳ１４０８４で、チェックすべきＩＤがもうない（一覧が終了）ならば、“はい”側に進み、終了する。
【０１１４】
また、ステップＳ１４０８１で情報サーバ１１０に接続されていないと判定されたら、ステップＳ１４０９１で接続が試みられて成功したらステップＳ１４０８３からの処理が実行される。ステップＳ１４０９１で接続失敗と判定されたら、ステップＳ１４０９２でエラーメッセージが表示画面あるいはスピーカから出力される。ステップＳ１４８１３で端末エリア情報ＤＢ内にメッシュコードと一致する詳細情報があるかどうかが判定され、あると判定されたら詳細情報が表示画面上に表示されるか、又は音声で出力されてこのフローの処理が終えられる。ステップＳ１４０９３で‘ない’と判定されたら即座にこのフローの処理が終えられる。
【０１１５】
なお、図１４は、移動体端末が移動時の処理を示しており、移動開始時は、現エリアの情報取得処理から開始すればよい。
【０１１６】
こうして携帯移動端末装置から情報サーバに向けて送信されるコマンドに応じて、情報サーバ側で処理が行なわれて特徴情報と詳細情報とが別々に送信されてくる構成であると、情報サーバ側から移動端末装置に向けて分割されて情報が送信されてくるので、移動端末装置のメモリ容量が削減されるという波及効果も得られる。
【０１１７】
以上説明したように、移動端末装置を有するユーザが、必要な情報のみを簡単に得ることができる情報伝達システム、およびその情報伝達システムを構成する移動端末装置、さらにその情報伝達システムを構成する情報サーバが実現する。
【０１１８】
以下に本発明の各種形態を付記する。
【０１１９】
（付記１）
無線通信を行なう通信部と、表示画面上に画像を表示する表示部とを備えた移動端末装置、および、情報を記憶しておき前記移動端末装置からの情報の送信要求に応じて該移動端末装置に情報を送信する情報サーバを具備する情報伝達システムであって、
前記情報サーバが、
地理上のエリア別に詳細情報を記憶する詳細情報記憶部と、
前記詳細情報に基づいて地理上の各エリアの特徴を表わす特徴情報を作成する特徴情報作成部と、
前記特徴情報作成部で作成されたエリア別の特徴情報を記憶する特徴情報記憶部と、
前記移動端末装置からのエリアを指定した送信要求を受けて、該移動端末装置に向けて、前記特徴情報記憶部に記憶された該エリアの特徴情報および前記詳細情報記憶部に記憶された該エリアの詳細情報を送信する情報送信部とを備え、
当該移動端末装置が、
当該移動端末装置の現在の位置情報を取得する位置情報取得部と、
前記通信部に、前記情報サーバに向けてエリアを特定して該エリアの情報の送信要求を行なわせて、前記情報サーバから該エリアの特徴情報および詳細情報を受信させる情報受信制御部と、
前記表示部に、前記表示画面上に前記特徴情報を表示させ、ユーザからの詳細情報表示指示操作を待って該表示画面上に詳細情報を表示させる情報表示制御部とを備えたことを特徴とする情報伝達システム。
【０１２０】
（付記２）
前記特徴情報作成部が、前記詳細情報に基づいて、各エリアの、複数種類の特徴情報を作成するものであって、
前記情報表示制御部は、前記表示画面上に複数種類の特徴情報を表示させるものであることを特徴とする付記１記載の情報伝達システム。
【０１２１】
（付記３）
前記特徴情報作成部が、前記詳細情報からキーワードを抽出して抽出したキーワードからなる特徴情報を作成するものであることを特徴とする付記１記載の情報伝達システム。
【０１２２】
（付記４）
前記特徴情報作成部が、前記詳細情報から、各エリア別の特徴と該特徴の時間的変化とからなる特徴情報を作成するものであることを特徴とする付記１記載の情報伝達システム。
【０１２３】
（付記５）
前記特徴情報作成部が、前記詳細情報から、各エリア別の特徴と、各エリア別の特徴と該各エリアに隣接する隣接エリアの特徴との差異とからなる特徴情報を作成するものであることを特徴とする付記１記載の情報伝達システム。
【０１２４】
（付記６）
前記情報受信制御部は、前記移動端末装置が新たなエリアに進入したときに、前記通信部に、前記情報サーバに向けての、進入したエリアの情報の送信要求を行なわさせるものであることを特徴とする付記１記載の情報伝達システム。
【０１２５】
（付記７）
前記情報受信制御部は、前記通信部に、当該移動端末装置の進路前方の次のエリアの情報の送信要求を行なわさせるものであることを特徴とする付記１記載の情報伝達システム。
【０１２６】
（付記８）
当該移動端末装置が、電話機能を有する携帯電話機であることを特徴とする付記１記載の情報伝達システム。
【０１２７】
（付記９）
当該移動端末装置が、電話機能を有する携帯電話機と、車に搭載され、現在の位置情報を取得するＧＰＳ機能を有するカーナビゲーションシステムとの複合からなることを特徴とする付記１記載の情報伝達システム。
【０１２８】
（付記１０）
無線通信を行なう通信部と、表示画面上に画像を表示する表示部とを備えた移動端末装置であって、
当該移動端末装置の現在の位置情報を取得する位置情報取得部と、
前記通信部に、地理上のエリア別の詳細情報と該詳細情報を基に作成されたエリア別の特徴情報とを記憶した情報サーバに向けてエリアを特定した情報の送信要求を行なわせて、前記情報サーバから該エリアの特徴情報および詳細情報を受信させる情報受信制御部と、
前記表示部に、前記表示画面上に前記特徴情報を表示させ、ユーザからの詳細情報表示指示操作を待って該表示画面上に詳細情報を表示させる情報表示制御とを備えたことを特徴とする移動端末装置。
【０１２９】
（付記１１）
情報を記憶しておき、無線通信を行なう通信部と表示画面上に画像を表示する表示部とを備えた移動端末装置からの情報の送信要求に応じて該移動端末装置に情報を送信する情報サーバであって、
地理上のエリア別に詳細情報を記憶する詳細情報記憶部と、
前記詳細情報に基づいて地理上の各エリアの特徴を表わす特徴情報を作成する特徴情報作成部と、
前記特徴情報作成部で作成されたエリア別の特徴情報を記憶する特徴情報記憶部と、
前記移動端末装置からのエリアを指定した送信要求を受けて、該移動端末装置に向けて、前記特徴情報記憶部に記憶された該エリアの特徴情報および前記詳細情報記憶部に記憶された該エリアの詳細情報を送信する情報送信部とを備えたことを特徴とする情報サーバ。
【０１３０】
（付記１２）
前記情報サーバが、
地理上の位置情報が付された詳細情報を受信する詳細情報受信部と、
前記詳細情報受信部で受信した詳細情報をエリア別に分類する詳細情報分類部とをさらに備え、
前記詳細情報記憶部が、前記詳細情報分類部で分類された詳細情報を記憶するものであることを特徴とする付記１１記載の情報サーバ。
【図面の簡単な説明】
【０１３１】
【図１】本発明の一実施形態である情報伝達システム１の概念を示す概念図である。
【図２】図１の概念図中の移動端末装置１００とセンタ側の情報サーバ１１０とで構成される情報伝達システム１の構成を示す図である。
【図３】この情報伝達システム１の動作の一例を説明する図である。
【図４】この情報伝達システム１の動作の一例を説明する図である。
【図５】情報サーバ１１０の処理を説明する図である。
【図６】図５のステップＳ５０２のデータ登録処理の詳細を説明するフローチャートである。
【図７】メッシュコードと緯度経度の対応を説明する図である。
【図８】詳細情報記憶部１１０１に記憶される情報ＤＢの内容および追加投稿数保持部１１０Ａ内のテーブルの内容を説明する図である。
【図９】情報ＤＢの内容を説明する図である。
【図１０】特徴ＤＢの構成を示す図である。
【図１１】図６のステップＳ５０２７の特徴作成処理の詳細を示すフローチャートである。
【図１２】特徴作成部１１０２によって実行されるステップＳ５０２７３の詳細を説明するフローチャートである。
【図１３】移動端末装置側の情報ＤＢを説明する図である。
【図１４】図５の走行予定エリア取得コマンドと特徴情報取得コマンドと詳細情報取得コマンドとを情報サーバに向けて送信するときの移動端末装置１００側の情報受信制御部１０１Ｂによって実行される処理の手順を示すフローチャートである。
【図１５】走行エリア取得に関する移動端末側と情報サーバ側の処理を示すフローチャートである。
【図１６】受信制御部によって実行される特徴情報の取得処理の手順を示すフローチャートであり。
【図１７】受信制御部によって実行される詳細情報の取得処理の手順を示すフローチャートである。
【符号の説明】
【０１３２】
１００    移動端末装置
１０１    ナビゲーションシステム
１０２    携帯電話機
１１０    情報サーバ
１１０１    詳細情報記憶部（情報ＤＢ）
１１０２    特徴作成部
１１０３    特徴情報記憶部（特徴ＤＢ）
１１０４    通信部（情報送信部）
１１０５    コマンド判別部
１１０６    地図ＤＢ
１１０７    経路検索部
１１０８    走行予定エリア取得部
１１０９    情報分類部
１２０    携帯電話機
１３０    ＰＣ
【図１】
2008193336.tif 000003
【図２】
2008193336.tif 000004
【図３】
2008193336.tif 000005
【図４】
2008193336.tif 000006
【図５】
2008193336.tif 000007
【図６】
2008193336.tif 000008
【図７】
2008193336.tif 000009
【図８】
2008193336.tif 000010
【図９】
2008193336.tif 000011
【図１０】
2008193336.tif 000012
【図１１】
2008193336.tif 000013
【図１２】
2008193336.tif 000014
【図１３】
2008193336.tif 000015
【図１４】
2008193336.tif 000016
【図１５】
2008193336.tif 000017
【図１６】
2008193336.tif 000018
【図１７】
2008193336.tif 000019